(57)【要約】【課題】本体に、暖房放熱器へ循環される熱媒を加熱する熱源機が併設されるコージェネレーションシステム、及びそれを備えた暖房設備において、システム全体としての熱効率を向上させる。【解決手段】熱源機１０と通信する通信部９６を備え、本体側制御部９５が、通信部９６を介して、暖房運転において熱源機側熱媒吐出部１６ｂから吐出される熱媒Ｈの吐出温度の目標温度に関する目標温度関連情報を受信し、当該目標温度関連情報に基づいて、湯水循環状態を制御する湯水循環状態制御を実行する。【選択図】図４
2014142116.tif 000002
【特許請求の範囲】
【請求項１】
熱源機側熱媒受入部から受け入れた熱媒を予め設定された設定暖房熱媒温度に加熱し、加熱された熱媒を熱源機側熱媒吐出部から吐出して暖房用循環路にて暖房放熱器へ導く暖房運転を実行可能な熱源機に併設され、
電力と熱とを発生する熱電併給部と、
前記熱電併給部で発生した熱で加熱された湯水を貯留する貯湯タンクと、
湯水を、前記熱電併給部で発生した熱を回収する排熱回収熱交換器へ循環させると共に、前記貯湯タンクへ貯留可能に循環させる湯水循環路と、
前記暖房用循環路で、前記暖房放熱器を通過した後の熱媒を受け入れる本体側熱媒受入部から、前記熱源機側熱媒受入部に接続される本体側熱媒吐出部までの間で、熱媒を通流させる熱媒流路と、
前記湯水循環路を通流する湯水と前記熱媒流路を通流する熱媒とを熱交換させる暖房用熱交換器と、
運転を制御する本体側制御部とを備えたコージェネレーションシステムであって、
前記熱源機と通信する通信部を備え、
前記本体側制御部が、前記通信部を介して、前記暖房運転において前記熱源機側熱媒吐出部から吐出される熱媒の吐出温度の目標温度に関する目標温度関連情報を受信し、当該目標温度関連情報に基づいて、湯水を前記湯水循環路の前記暖房用熱交換器を介して循環させる湯水循環状態を制御する湯水循環状態制御を実行するコージェネレーションシステム。
【請求項２】
前記暖房用循環路は、循環する熱媒の全量を、前記本体側の前記暖房用熱交換器へ導く本体側熱媒流路が設けられている請求項１に記載のコージェネレーションシステム。
【請求項３】
前記暖房用循環路には、循環する熱媒から所定流量を取り出し前記本体側の前記暖房用熱交換器へ導いた後に循環する熱媒へ戻す本体側熱媒流路が設けられる請求項１に記載のコージェネレーションシステム。
【請求項４】
循環する熱媒から所定流量を取り出し前記本体側の前記暖房用熱交換器へ導く熱媒の流量を、前記暖房放熱器を循環する熱媒の全循環流量以上に固定する熱媒通流状態制御手段を備える請求項３に記載のコージェネレーションシステム。
【請求項５】
循環する熱媒から所定流量を取り出し前記本体側の前記暖房用熱交換器へ導く熱媒の流量を、可変に制御する熱媒通流状態制御手段を備える請求項３に記載のコージェネレーションシステム。
【請求項６】
上記熱媒通流状態制御手段は、
前記本体側熱媒吐出部を吐出した熱媒の吐出温度が前記目標温度未満の場合、前記本体側の前記暖房用熱交換器へ導く熱媒流量を減少させ、
前記本体側熱媒吐出部を吐出した熱媒の吐出温度が前記目標温度を超える場合、前記本体側の前記暖房用熱交換器へ導く熱媒流量を増加させる請求項５に記載のコージェネレーションシステム。
【請求項７】
前記湯水循環路は、前記排熱回収熱交換器にて排熱を回収した湯水のうち、一部を前記貯湯タンクに貯留し、他部を前記暖房用熱交換器へ通流可能に配設され、
前記湯水循環状態制御として、前記貯湯タンクに貯留される湯水流量と、前記暖房用熱交換器を通過する湯水流量との流量比を調整可能な湯水流量比制御手段が設けられ、
前記本体側熱媒吐出部から吐出された熱媒の吐出温度が前記目標温度未満の場合、前記湯水流量比制御手段は、前記貯湯タンクへ貯留する湯水の流量を減少させると共に、前記暖房用熱交換器を通過する湯水の流量を増加させ、
前記本体側熱媒吐出部から吐出される熱媒の吐出温度が前記目標温度を超える場合、前記湯水流量比制御手段は、前記貯湯タンクへ貯留する湯水の流量を増加させると共に、前記暖房用熱交換器を通過する湯水の流量を減少させる請求項１〜６の何れか一項に記載のコージェネレーションシステム。
【請求項８】
前記本体側制御部は、前記通信部を介して、前記目標温度関連情報として前記暖房運転が低温暖房運転と高温暖房運転との何れかであるという情報を受信する請求項１〜７の何れか一項に記載のコージェネレーションシステム。
【請求項９】
前記本体側制御部が、前記通信部を介して、前記目標温度関連情報として前記暖房運転が高温暖房運転であるという情報を受信した場合、
前記本体側制御部は、前記目標温度関連情報として高温側目標温度を直接受信する、又は、前記目標温度が、予め記憶されている高温側目標温度であると判定する請求項８に記載のコージェネレーションシステム。
【請求項１０】
前記暖房運転は、前記熱源機側熱媒吐出部から吐出された熱媒の吐出温度が前記目標温度より所定温度低い温度で加熱を開始し、前記熱源機側熱媒吐出部から吐出された熱媒の吐出温度が前記目標温度より所定温度高い温度で加熱を停止するＯＮ−ＯＦＦ制御運転であり、
前記本体側制御部は、前記通信部を介して、前記目標温度関連情報として前記暖房運転が前記低温暖房運転であるという情報を受信した場合、前記目標温度関連情報として、前記熱源機側熱媒吐出部から吐出された熱媒の吐出温度と、前記熱源機における加熱開始時期及び加熱停止時期を加えて受信し、前記目標温度が、前記加熱開始時期に前記熱源機側熱媒吐出部から吐出された熱媒の吐出温度と、前記加熱停止時期に前記熱源機側熱媒吐出部から吐出された熱媒の吐出温度との間の温度であると推定する請求項８に記載のコージェネレーションシステム。
【請求項１１】
前記本体側制御部は、前記通信部を介して、前記目標温度関連情報として、前記暖房運転が前記低温暖房運転であるという情報を取得した場合、
前記本体側制御部は、前記目標温度関連情報として低温側目標温度を直接受信する、又は、前記目標温度が、予め記憶されている複数の低温側目標温度のうち何れかであると判定する請求項８又は１０に記載のコージェネレーションシステム。
【請求項１２】
前記本体側制御部は、前記熱源機により熱媒が加熱されない時間である非加熱時間が、非加熱判定経過時間を越えている場合、前記目標温度が低い側に変更されたと判定する請求項１０又は１１に記載のコージェネレーションシステム。
【請求項１３】
前記熱電併給部が停止している場合、
前記湯水循環状態制御により、前記貯湯タンクに貯留されている湯水を、前記暖房用熱交換器へ通流させる請求項１〜１２の何れか一項に記載のコージェネレーションシステム。
【請求項１４】
前記熱源機に併設される一の筐体内に各種部位を配置した一体型に構成されている請求項１〜１３の何れか一項に記載のコージェネレーションシステム。
【請求項１５】
請求項１〜１４の何れか一項に記載のコージェネレーションシステムを備えた暖房設備であり、
前記コージェネレーションシステムと前記熱源機とを、互いの間を熱媒を循環させる前記暖房用循環路を介して接続している暖房設備。
【発明の詳細な説明】
【技術分野】
【０００１】
本発明は、熱源機側熱媒受入部から受け入れた熱媒を予め設定された設定暖房熱媒温度に加熱し、加熱された熱媒を熱源機側熱媒吐出部から吐出して暖房用循環路にて暖房放熱器へ導く暖房運転を実行可能な熱源機に併設され、電力と熱とを発生する熱電併給部と、
前記熱電併給部で発生した熱で加熱された湯水を貯留する貯湯タンクと、湯水を、前記熱電併給部で発生した熱を回収する排熱回収熱交換器へ循環させると共に、前記貯湯タンクへ貯留可能に循環させる湯水循環路と、前記暖房用循環路で、前記暖房放熱器を通過した後の熱媒を受け入れる本体側熱媒受入部から、前記熱源側熱媒受入部に接続される本体側熱媒吐出部までの間で、熱媒を通流させる熱媒流路と、前記湯水循環路を通流する湯水と前記熱媒流路を通流する熱媒とを熱交換させる暖房用熱交換器と、運転を制御する本体側制御部とを備えたコージェネレーションシステム、及び暖房設備に関する。
【背景技術】
【０００２】
コージェネレーションシステムは、通常、ガスエンジンにて駆動０される発電装置や、燃料電池などから構成される熱電併給装置を備え、当該熱電併給装置で発電を行ったときに発生する熱を利用して湯水を加熱し、当該加熱された湯水を貯湯タンクに貯留するように構成されている。
このようなコージェネレーションシステムの一つの形態として、暖房放熱器へ熱媒循環路を介して循環する熱媒を加熱する熱源機を併設したものが知られている（特許文献１を参照）。
当該特許文献１に記載の技術では、コ−ジェネレーションシステムにおいて、熱電併給装置にて発生する熱にて加熱可能で、且つ貯湯タンクに貯留可能な湯水を循環する湯水循環路が設けられるとともに、当該湯水循環路を循環する湯水の熱にて熱媒循環路を循環する熱媒を加熱する排熱暖房熱交換器（特許文献１では、「加熱用熱交換器１１」）が設けられている。
これにより、コージェネレーションシステムにて発生した熱を、当該コージェネレーションシステムに併設される熱源機側の暖房放熱器へ供給できるようになっている。
【先行技術文献】
【特許文献】
【０００３】
【特許文献１】特開２００６−２９７４５号公報
【発明の概要】
【発明が解決しようとする課題】
【０００４】
上述のようなコージェネレーションシステムでは、熱効率を向上させる観点からは、暖房運転の暖房負荷（暖房目標温度等）の情報に基づいて、湯水循環流路を循環する湯水の循環状態や、熱源機における熱媒の加熱状態を調整するように、コージェネレーションシステム側及び熱源機側の夫々の運転状態が制御されることが好ましい。
しかしながら、上記引用文献１に開示の技術の如く、コージェネレーションシステムの本体に、熱源機が併設されるタイプのものにおいては、本体と熱源機とが別体に設けられている等の理由により、特に、コージェネレーションシステムの本体側の運転状態が、暖房運転の暖房負荷（暖房目標温度等）の情報に基づいて、積極的に制御されるような構成とはなっていなかった。これにより、例えば、本体側にて熱媒に排熱を与えすぎ、熱源機からの熱媒の吐出温度が目標温度を超えてしまう場合があり、このような場合には、使用者の意図した温度調整ができなくなり、室温や床温度を下げたいにもかかわらず、下げることができない虞があり、快適性の観点で問題があった。また、これにより、熱効率が低下してしまうという問題もあった。
【０００５】
本発明は、かかる点に着目してなされたものであり、その目的は、本体に、暖房放熱器へ循環される熱媒を加熱する熱源機が併設されるコージェネレーションシステム、及びそれを備えた暖房設備において、システム全体としての熱効率を向上させる点にある。
【課題を解決するための手段】
【０００６】
上記目的を達成するための本発明のコージェネレーションシステムは、
熱源機側熱媒受入部から受け入れた熱媒を予め設定された設定暖房熱媒温度に加熱し、加熱された熱媒を熱源機側熱媒吐出部から吐出して暖房用循環路にて暖房放熱器へ導く暖房運転を実行可能な熱源機に併設され、
電力と熱とを発生する熱電併給部と、
前記熱電併給部で発生した熱で加熱された湯水を貯留する貯湯タンクと、
湯水を、前記熱電併給部で発生した熱を回収する排熱回収熱交換器へ循環させると共に、前記貯湯タンクへ貯留可能に循環させる湯水循環路と、
前記暖房用循環路で、前記暖房放熱器を通過した後の熱媒を受け入れる本体側熱媒受入部から、前記熱源機側熱媒受入部に接続される本体側熱媒吐出部までの間で、熱媒を通流させる熱媒流路と、
前記湯水循環路を通流する湯水と前記熱媒流路を通流する熱媒とを熱交換させる暖房用熱交換器と、
運転を制御する本体側制御部とを備えたコージェネレーションシステムであって、その特徴構成は、
前記熱源機と通信する通信部を備え、
前記本体側制御部が、前記通信部を介して、前記暖房運転において前記熱源機側熱媒吐出部から吐出される熱媒の吐出温度の目標温度に関する目標温度関連情報を受信し、当該目標温度関連情報に基づいて、湯水を前記湯水循環路の前記暖房用熱交換器を介して循環させる湯水循環状態を制御する湯水循環状態制御を実行する点にある。
【０００７】
上記特徴構成によれば、コージェネレーションシステムの本体側は、通信部を介して、熱源機側から、暖房運転の目標温度に関する目標温度関連情報を積極的に受信し、受信した目標温度関連情報に基づいて、本体側における湯水循環状態を制御するように構成されているから、当該湯水循環状態を、単純な暖房運転のＯＮ／ＯＦＦ情報だけでなく、暖房運転の目標温度までをも含めた状態で制御できる。
例えば、暖房運転の目標温度関連情報にて、比較的多くの熱が必要（暖房負荷が高い）と判定できるときには、暖房用熱交換器を通流する湯水循環流量を増加させ、暖房用熱交換器にて熱媒へ多くの熱を供給することで、熱源機での熱媒の加熱を低減でき、当該加熱の低減分だけ、燃料の消費を低減できる。
一方、暖房運転の目標温度関連情報にて、比較的少ない熱が必要（暖房負荷が低い）と判定できるときには、暖房熱交換器を通流する湯水循環流量を低減させて、熱媒の温度を低下させ、暖房放熱器へ目標温度を超える温度の熱媒が導かれることを防止して、室温や床温度が、必要以上に上昇することを防止でき、快適性を向上させることができる。
また、暖房用熱交換器を通流する湯水循環流量を低減させた分は、貯湯タンクに貯留し、後の熱需要にその熱を供給することで、省エネルギー性を向上できる。
以上の如く、本願発明によれば、コージェネレーションシステムの本体に、暖房放熱器へ循環される熱媒を加熱する熱源機が併設されるものにおいて、システム全体としての熱効率を向上させることができる。
尚、本願にあっては、特に説明しない限り、熱電併給部は運転状態にあり、排熱回収熱交換器において湯水による熱回収が行われており、且つ、当該排熱回収熱交換器を通過後の湯水の温度は、貯湯目標温度に維持されているものとする。
【０００８】
本発明に係るコージェネレーションシステムの更なる特徴構成は、
前記暖房用循環路は、循環する熱媒の全量を、前記本体側の前記暖房用熱交換器へ導く本体側熱媒流路が設けられている点にある。
【０００９】
上記特徴構成によれば、循環する熱媒の全量を、本体側の暖房用熱交換器へ導くように構成されているから、簡易な構成にて、熱媒を暖房用熱交換器の側へ導くことができる。
尚、以下、当該構成を採用する場合の本願に係る運転制御について説明するが、当該構成における運転制御においては、暖房用熱交換器に導かれる熱媒は、暖房用循環路を通流する湯水の全量である。そして、その流量は、暖房負荷（暖房放熱器の稼働台数、種類等）によって決定されるため、本体側制御部にて制御できない。このため、以下の運転制御においては、本体側の暖房用熱交換器へ導かれる熱媒の流量を制御する熱媒通流状態制御は実行されず、湯水循環状態制御のみが実行されることになる。
【００１０】
本発明に係るコージェネレーションシステムの更なる特徴構成は、
前記暖房用循環路には、循環する熱媒から所定流量を取り出し前記本体側の前記暖房用熱交換器へ導いた後に循環する熱媒へ戻す本体側熱媒流路が設けられる点にある。
【００１１】
通常、暖房用循環路を通流する熱媒の流量は、暖房用循環路に接続される暖房放熱器における暖房負荷（暖房放熱器の稼働台数、種類等）により決定される。従って、当該熱媒の全流量を、暖房用熱交換器の側へ導くように構成すると、当該暖房用熱交換器を通流する熱媒の流量を調整することができなくなる。結果、暖房用熱交換器にて回収する熱量や、暖房用熱交換器の出口での熱媒温度を、熱媒の流量制御により調整することはできない。
上記特徴構成によれば、循環する熱媒を取り出して、暖房用熱交換器の側へ導く本体側熱媒流路が設けられているから、暖房用熱交換器へ通流させる熱媒の流量を制御できる。
これにより、暖房循環路を通流する熱媒の全流量については、暖房負荷（暖房放熱器の稼働台数等）により制御される状態を維持しながらも、熱媒の循環流量に関係なく熱媒を取り出して暖房用熱交換器へ導いて、暖房用熱交換器にて回収する熱量や、暖房用熱交換器の出口での熱媒温度を、本体側熱媒流路を通過する熱媒の所定流量の制御により、調整できる。
【００１２】
本発明に係るコージェネレーションシステムの更なる特徴構成は、
循環する熱媒から所定流量を取り出し前記本体側の前記暖房用熱交換器へ導く熱媒の流量を、前記暖房放熱器を循環する熱媒の全循環流量以上に固定する熱媒通流状態制御手段を備える点にある。
【００１３】
上記特徴構成によれば、本体側の暖房用熱交換器へ導く熱媒の流量を、暖房放熱器へ導く熱媒の全流量以上に固定しているから、本体側熱媒吐出部から吐出される熱媒の吐出温度と、熱源機側熱媒受入部にて受け入れられる熱媒の温度とが同じになるので、本体側熱媒吐出部から吐出された熱媒の吐出温度を目標温度とする、比較的シンプルな制御を実行することができる。
【００１４】
本発明に係るコージェネレーションシステムの更なる特徴構成は、
循環する熱媒から所定流量を取り出し前記本体側の前記暖房用熱交換器へ導く熱媒の流量を、可変に制御する熱媒通流状態制御手段を備える点にある。
【００１５】
上記特徴構成によれば、暖房用熱交換器を通過する熱媒の流量を可変に設定できるので、湯水循環状態制御による交換熱量の制御に加えて、熱媒通流状態制御により熱媒や湯水の温度も制御できる。これにより、熱電併給部が運転中の暖房運転でも、熱電併給部が停止中の蓄熱暖房運転でも、温度制御の自由度が高まる。
【００１６】
本発明に係るコージェネレーションシステムの更なる特徴構成は、
上記熱媒通流状態制御手段は、
前記本体側熱媒吐出部を吐出した熱媒の吐出温度が前記目標温度未満の場合、前記本体側の前記暖房用熱交換器へ導く熱媒流量を減少させ、
前記本体側熱媒吐出部を吐出した熱媒の吐出温度が前記目標温度を超える場合、前記本体側の前記暖房用熱交換器へ導く熱媒流量を増加させる点にある。
【００１７】
上記特徴構成によれば、熱媒通流状態制御手段は、本体側熱媒吐出部を吐出した熱媒の吐出温度が目標温度未満の場合、本体側の暖房用熱交換器へ導く熱媒流量を減少させ、熱媒の温度を上昇させ、目標温度に近づけることができる。
一方、本体側熱媒吐出部を吐出した熱媒の吐出温度が目標温度を超える場合、本体側の暖房用熱交換器へ導く熱媒流量を増加させ、熱媒の温度を低下させ、目標温度に近づけることができる。
【００１８】
本発明に係るコージェネレーションシステムの更なる特徴構成は、
前記湯水循環路は、前記排熱回収熱交換器にて排熱を回収した湯水のうち、一部を前記貯湯タンクに貯留し、他部を前記暖房用熱交換器へ通流可能に配設され、
前記湯水循環状態制御として、前記貯湯タンクに貯留される湯水流量と、前記暖房用熱交換器を通過する湯水流量との流量比を調整可能な湯水流量比制御手段が設けられ、
前記本体側熱媒吐出部から吐出された熱媒の吐出温度が前記目標温度未満の場合、前記湯水流量比制御手段は、前記貯湯タンクへ貯留する湯水の流量を減少させると共に、前記暖房用熱交換器を通過する湯水の流量を増加させ、
前記本体側熱媒吐出部から吐出される熱媒の吐出温度が前記目標温度を超える場合、前記湯水流量比制御手段は、前記貯湯タンクへ貯留する湯水の流量を増加させると共に、前記暖房用熱交換器を通過する湯水の流量を減少させる点にある。
【００１９】
上記特徴構成によれば、本体側熱媒吐出部から吐出された熱媒の吐出温度が目標温度未満の場合、暖房負荷がその時点で熱媒が回収している熱量より大きいということなので、貯湯タンクへ貯留する湯水の流量を減少させると共に、暖房用熱交換器を通過する湯水の流量を増加させる。これにより、暖房用熱交換器を通過する熱媒が回収する熱量を増加させることができる。
一方、本体側熱媒吐出部から吐出された熱媒の吐出温度が目標温度を超える場合、暖房負荷がその時点で熱媒が回収している熱量より小さいということなので、貯湯タンクへ貯留される湯水の流量を増加させると共に、暖房用熱交換器を通過する湯水の流量を減少させる。これにより、暖房用熱交換器を通過する熱媒が回収する熱量を減少させることができる。
【００２０】
本発明に係るコージェネレーションシステムの更なる特徴構成は、
前記本体側制御部は、前記通信部を介して、前記目標温度関連情報として前記暖房運転が低温暖房運転と高温暖房運転との何れかであるという情報を受信する点にある。
【００２１】
上記特徴構成によれば、本体側制御部は、通信部を介して、暖房運転が低温暖房運転と高温暖房運転との何れであるかの情報を受信できるから、当該情報に基づいて、本体側における湯水循環状態を制御できる。
【００２２】
本発明に係るコージェネレーションシステムの更なる特徴構成は、
前記本体側制御部が、前記通信部を介して、前記目標温度関連情報として前記暖房運転が高温暖房運転であるという情報を受信した場合、
前記本体側制御部は、前記目標温度関連情報として高温側目標温度を直接受信する、又は、前記目標温度が、予め記憶されている高温側目標温度であると判定する点にある。
【００２３】
上記特徴構成によれば、本体側制御部は、目標温度関連情報として暖房運転が高温暖房運転であるという情報を受信した場合、目標温度関連情報として、さらに、高温側目標温度を直接受信するから、当該高温側目標温度に基づいて、高温暖房運転を実行できる。
また、本体側制御部は、目標温度関連情報として暖房運転が高温暖房運転であるという情報を受信した場合、目標温度が予め記憶されている高温側目標温度であると判定できるから、当該高温側目標温度に基づいて、高温暖房運転を実行できる。
【００２４】
本発明に係るコージェネレーションシステムの更なる特徴構成は、
前記暖房運転は、前記熱源機側熱媒吐出部から吐出された熱媒の吐出温度が前記目標温度より所定温度低い温度で加熱を開始し、前記熱源機側熱媒吐出部から吐出された熱媒の吐出温度が前記目標温度より所定温度高い温度で加熱を停止するＯＮ−ＯＦＦ制御運転であり、
前記本体側制御部は、前記通信部を介して、前記目標温度関連情報として前記暖房運転が前記低温暖房運転であるという情報を受信した場合、前記目標温度関連情報として、前記熱源機側熱媒吐出部から吐出された熱媒の吐出温度と、前記熱源機における加熱開始時期及び加熱停止時期を加えて受信し、前記目標温度が、前記加熱開始時期に前記熱源機側熱媒吐出部から吐出された熱媒の吐出温度と、前記加熱停止時期に前記熱源機側熱媒吐出部から吐出された熱媒の吐出温度との間の温度であると推定する点にある。
【００２５】
熱源機の構成上の理由により、暖房運転にて暖房放熱器へ導かれる熱媒の目標温度は、コージェネレーションシステムの本体側にて、受信することができない場合がある。この場合、コージェネレーションシステムの本体側からは、暖房運転における目標温度を知ることはできない。
一方、熱源機において、暖房運転時における熱源機側熱媒吐出部からの熱媒の吐出温度、及び、熱媒の加熱と非加熱がＯＮ−ＯＦＦ制御される暖房運転の実行における熱媒の加熱開始時期、及び熱媒の加熱停止時期については、コージェネレーションシステムの本体側から知ることができる。
そこで、本発明にあっては、加熱開始時期における熱源機側熱媒吐出部からの熱媒の吐出温度と、及び加熱停止時期における熱源機側熱媒吐出部からの熱媒の吐出温度との間の温度を、暖房運転の目標温度と推定する。これにより、暖房運転にて暖房放熱器へ導かれる熱媒の目標温度が、コージェネレーションシステムの本体側にて知ることができない場合であっても、その目標温度を適切に推定し、当該目標温度に基づいて、湯水循環状態制御を実行できるのである。
【００２６】
本発明に係るコージェネレーションシステムの更なる特徴構成は、
前記本体側制御部は、前記通信部を介して、前記目標温度関連情報として、前記暖房運転が前記低温暖房運転であるという情報を取得した場合、
前記本体側制御部は、前記目標温度関連情報として低温側目標温度を直接受信する、又は、前記目標温度が、予め記憶されている複数の低温側目標温度のうち何れかであると判定する点にある。
【００２７】
上記特徴構成によれば、本体側制御部は、目標温度関連情報として暖房運転が低温暖房運転であるという情報を受信した場合、目標温度関連情報として、さらに、低温側目標温度を直接受信するから、当該低温側目標温度に基づいて、低温暖房運転を実行できる。
また、本体側制御部は、目標温度関連情報として暖房運転が低温暖房運転であるという情報を受信した場合、目標温度が予め記憶されている複数の低温側目標温度のうち何れかであると推定することで、判定が容易になる。
【００２８】
本発明に係るコージェネレーションシステムの更なる特徴構成は、
前記本体側制御部は、前記熱源機により熱媒が加熱されない時間である非加熱時間が、非加熱判定経過時間を越えている場合、前記目標温度が低い側に変更されたと判定する点にある。
【００２９】
上述のごとく、加熱開始時期の熱源機側熱媒吐出部からの熱媒の吐出温度と、加熱停止時期の熱源機側熱媒吐出部からの熱媒の吐出温度とから、目標温度を推定するように構成している場合で、当該目標温度が使用者等により、低い側に変更されたときには、変更前に推定されていた目標温度に基づいて、湯水循環状態制御が実行されることになるため、熱源機側熱媒吐出部からの熱媒の吐出温度が、変更後の目標温度よりも高い状態に維持されることとなる。このような状況になった場合、熱源機における加熱は実行されなくなるから、コージェネレーションシステムの本体側は、加熱開始時期を受信できなくなり、新たな目標温度を推定できなくなる。
そこで、上記特徴構成にあっては、このような状況を想定し、熱源機における非加熱時間が、非加熱判定経過時間を越えている場合、熱源機における目標温度が低い側に変更されたと判定するのである。
本体側制御部は、当該判定に基づいて、湯水循環状態制御を実行することになる。
【００３０】
本発明に係るコージェネレーションシステムの更なる特徴構成は、
前記熱電併給部が停止している場合、
前記湯水循環状態制御により、前記貯湯タンクに貯留されている湯水を、前記暖房用熱交換器へ通流させる点にある。
【００３１】
上記特徴構成によれば、熱電併給部が停止している場合で、排熱が発生しない状況であっても、貯湯タンクに貯留される排熱を暖房負荷に使用することができ、排熱の有効利用を図ることができる。
【００３２】
本発明に係るコージェネレーションシステムの更なる特徴構成は、
前記熱源機に併設される一の筐体内に各種部位を配置した一体型に構成されている点にある。
【００３３】
上記特徴構成によれば、熱源機を別体とし、熱電併給部を貯湯タンク等と同じ一の筐体内に内蔵する形態で、一体型に構成することができるので、搬送及び設置作業の簡略化を図り、更に設置面積及び製造コストの縮小を図ることができる。
【００３４】
上記目的を達成するための暖房設備は、
上述のコージェネレーションシステムを備えた暖房設備であり、その特徴構成は、
前記コージェネレーションシステムと前記熱源機とを、互いの間を熱媒を循環させる前記暖房用循環路を介して接続している点にある。
【００３５】
当該暖房設備によれば、上述したコージェネレーションシステムと同等の作用効果を、良好に奏することができる。
【図面の簡単な説明】
【００３６】
【図１】第１実施形態における熱源機及び暖房用熱媒循環路の概略構成図
【図２】第１実施形態のコージェネレーションシステムの概略構成及び給湯運転時の状態を示す図
【図３】第１実施形態のコージェネレーションシステムの概略構成及びの貯湯運転時の状態を示す図
【図４】第１実施形態のコージェネレーションシステムの概略構成及び非蓄熱状態での暖房運転時の状態を示す図
【図５】第１実施形態のコージェネレーションシステムの概略構成及び蓄熱状態での暖房運転時の状態を示す図
【図６】第１実施形態のコージェネレーションシステムの概略構成及び蓄熱による暖房運転時の状態を示す図
【図７】第１実施形態の高温暖房運転に係る制御フロー図
【図８】第１実施形態の低温暖房運転に係る制御フロー図
【図９】第１実施形態での蓄熱による暖房運転に係る制御フロー図
【図１０】第１実施形態での蓄熱による暖房運転を行っている場合の暖房用熱交換器での湯水と熱媒との温度遷移状態を示すグラフ図
【図１１】第２実施形態における熱源機及び暖房用熱媒循環路の概略構成図
【図１２】第２実施形態のコージェネレーションシステムの概略構成及び非蓄熱状態での暖房運転時の状態を示す図
【図１３】第２実施形態のコージェネレーションシステムの概略構成及び蓄熱状態での暖房運転時の状態を示す図
【図１４】第２実施形態のコージェネレーションシステムの概略構成及び蓄熱による暖房運転時の状態を示す図
【図１５】第２実施形態の高温暖房運転に係る制御フロー図
【図１６】第２実施形態の低温暖房運転に係る制御フロー図
【図１７】第２実施形態の蓄熱による暖房運転に係る制御フロー図
【発明を実施するための形態】
【００３７】
［第１実施形態］
本発明に係るコージェネレーションシステムの第１実施形態について、図面に基づいて説明する。
尚、本実施形態に係るコージェネレーションシステム４０は、図１に示すように、熱源機１０に並設されるように構成されており、具体的には、熱源機１０に並設される一の筐体内に各種部位を配置した一体型に構成されている。
【００３８】
〔熱源機〕
先ず、本実施形態のコージェネレーションシステム４０に並設される熱源機１０の構成について、図１に基づいて説明する。
熱源機１０は、詳細については後述するが、一般的な給湯暖房器として構成され、上水道から熱源機側入水部２０ａを介して供給された湯水Ｗを、予め設定された設定給湯温度に加熱して給湯栓３０に供給する、所謂給湯運転を行うと共に、暖房放熱器３３へ加熱した熱媒を循環させる暖房用循環路３４を通流する熱媒を加熱する暖房運転を行うものであり、後述するコージェネレーションシステム４０に並設されるように構成されている。
外部インターフェースとしては、上水管路２０の一端側に設けられ外部から湯水Ｗを当該上水管路２０に取り込む熱源機側入水部２０ａ、同上水管路２０の他端側に設けられ当該上水管路２０の湯水Ｗを外部に吐出する熱源機側出水部２０ｂ、熱媒管路１６の一端側に設けられ外部から熱媒Ｈを当該熱媒管路１６に取り込む熱源機側熱媒受入部１６ａ、同熱媒管路１６の他端側に設けられ当該熱媒管路１６の熱媒Ｈを外部に吐出する熱源機側熱媒吐出部１６ｂ、及び、天然ガス系都市ガスである燃料ガスＧを取り込む燃料ガス供給部１４、などが設けられている。
熱源機側出水部２０ｂは、給湯栓３０に接続されることで、当該熱源機側出水部２０ｂから吐出された湯水Ｗが給湯栓３０に供給される。
また、熱源機側熱媒受入部１６ａ及び熱源機側熱媒吐出部１６ｂは、浴室暖房機、温水床暖房パネルなどの異なる種類で複数の暖房放熱器３３との間に設けられた暖房用循環路３４を循環する熱媒Ｈを取り込み又は吐出する形態で、当該暖房用循環路３４に接続される。具体的には、熱源機側熱媒吐出部１６ｂから吐出された熱媒Ｈが、往きヘッダ３１を介して暖房用循環路３４に設けられた暖房放熱器３３に供給され、一方、暖房放熱器３３を通過した熱媒Ｈが、戻りヘッダ３２を介し、熱媒Ｈのうちコージェネレーションシステム４０に導かれる熱媒Ｈの流量を調整可能な状態で、熱源機側熱媒受入部１６ａに戻される。
【００３９】
熱源機１０には、後述するバーナ１１ａ，１２ａの作動を制御したり、その他弁やポンプなどの各種補機の運転を制御したりするコンピュータからなる熱源機側制御部２５が設けられている。
熱源機側制御部２５は、住居内に設置されたリモコン２７との間で通信部２６を介して通信可能に構成されており、この構成により、リモコン２７から給湯時の設定給湯温度、暖房運転の運転及び停止、暖房運転の種類を操作することができる。また、この通信部２６は、後述するコージェネレーションシステム４０側の通信部９６との間でも、無線又は有線での双方向の通信が可能に構成されている。
【００４０】
熱源機１０は、熱源機側入水部２０ａに取り込んで熱源機側出水部２０ｂから吐出される湯水Ｗを加熱するための給湯用加熱部１１と、熱源機側熱媒受入部１６ａに取り込んで熱源機側熱媒吐出部１６ｂから吐出される熱媒Ｈを加熱するための暖房用加熱部１２とを有する。
給湯用加熱部１１は、調整弁１１ｃを介して供給される燃料ガスＧをファン１３により供給される燃焼用空気により燃焼させるバーナ１１ａと、当該バーナ１１ａから排出される高温の燃焼ガスとの熱交換により上水管路２０を通流する湯水Ｗを加熱する給湯熱交換器１１ｂとを有して構成されている。
一方、暖房用加熱部１２は、調整弁１２ｃを介して供給される燃料ガスＧをファン１３により供給される燃焼用空気により燃焼させるバーナ１２ａと、当該バーナ１２ａから排出される高温の燃焼ガスとの熱交換により熱媒管路１６を通流する熱媒Ｈを加熱する暖房熱交換器１２ｂとを有して構成されている。
【００４１】
また、上水管路２０には、熱源機側入水部２０ａから取り込んだ湯水Ｗの温度（以下「熱源機側入水温度」と呼ぶ場合がある。）を検出する入水温度センサ２１と、熱源機側出水部２０ｂから吐出する湯水Ｗの温度（以下「熱源機側出水温度」と呼ぶ場合がある。）を検出する出水温度センサ２２と、湯水Ｗの通流を検出する水スイッチ２３とが配置されている。
一方、熱媒管路１６には、熱源機側熱媒受入部１６ａから取り込んだ熱媒Ｈの温度（以下「熱源機側入熱媒温度」と呼ぶ場合がある。）を検出する入熱媒温度センサ１７と、熱源機側熱媒吐出部１６ｂから吐出する熱媒Ｈの温度（以下「熱源機側出熱媒温度」と呼ぶ場合がある。）を検出する出熱媒温度センサ１８と、熱媒Ｈを送出する熱媒循環ポンプ１９とが配置されている。
【００４２】
このような構成により、熱源機側制御部２５は、熱源機側入水部２０ａから供給された湯水Ｗを予めリモコン２７で設定された設定給湯温度に加熱して給湯栓３０に供給する給湯運転や、暖房運転時において暖房放熱器３３との間に設けられた暖房用循環路３４を循環する熱媒Ｈを予め設定された目標温度に加熱する暖房運転を実行可能となる。
【００４３】
（給湯運転）
給湯運転は、上水管路２０に配置された水スイッチ２３により給湯栓３０の開栓による湯水Ｗの流通を検知している状態において、入水温度センサ２１で検出される熱源機側入水温度が設定給湯温度未満である場合に、バーナ１１ａで燃料ガスＧを燃焼させる燃焼運転を行う形態で実行される。また、この給湯運転では、出水温度センサ２２で検出される熱源機側出水温度が設定給湯温度になるように、バーナ１１ａでの燃焼量が、燃料ガスＧの供給量を調整する調整弁１１ｃの開度制御により調整される。
従って、給湯栓３０を開栓した場合には、適宜給湯運転が実行されて、その給湯栓３０には設定給湯温度の湯水Ｗが供給されることになる。
【００４４】
更に、上水管路２０には、給湯熱交換器１１ｂの上流側と下流側とを接続する形態でバイパス調整弁２４が設けられている。
給湯運転では、上述のように調整弁１１ｃの開度制御により、ガスの流量を制御しバーナ１１ａでの燃焼量を調整することに加えて、バイパス調整弁２４の開度制御により、バイパス流量を細かく調整して、給湯の出湯温度をより正確に設定温度に制御する。
【００４５】
（暖房運転）
暖房運転は、リモコン２７において暖房運転の開始ボタンが押操作されて熱媒管路１６に配置された熱媒循環ポンプ１９の作動が開始され、熱媒管路１６に熱媒Ｈが通流している状態で、入熱媒温度センサ１７で検出される熱源機側入熱媒温度が目標温度未満である場合に、バーナ１２ａで燃料ガスＧを燃焼させる燃焼運転を行う形態で実行される。
尚、当該暖房運転では、出熱媒温度センサ１８で検出される熱源機側出熱媒温度が目標温度になるように、バーナ１２ａの燃焼状態が、燃料ガスＧの流量制御を実行可能であると共に、燃料ガスＧの供給・供給停止状態を切り替え可能な調整弁１２ｃの開度制御により、調整される。
また、詳細については、後述するが、暖房運転には、高温暖房運転と、低温暖房運転とがあり、低温暖房運転には、ホットダッシュ運転、通常低温暖房運転、床暖房低負荷運転等があり、夫々の運転における目標温度は、異なる温度となっている。
【００４６】
〔コージェネレーションシステム〕
次に、本発明に係るコージェネレーションシステム４０の実施形態において、図２〜１０に基づいて説明する。
尚、図２〜６は、コージェネレーションシステム４０の各種運転状態を示すものであるが、湯水Ｗ、冷却水Ｃ、又は熱媒Ｈの流体が通流している配管を太実線で表示し、当該流体が通流してない配管を細実線で表示している。
図２に示すように、コージェネレーションシステム４０は、上述した熱源機１０に並設される一の筐体内に各種部位を配置した一体型に構成されている。
尚、このコージェネレーションシステム４０は、外部インターフェースとして、上水道から湯水Ｗ（上水）を取り込む本体側入水部８０ａ、湯水Ｗを熱源機１０側へ吐出する本体側出水部７８ａ、貯湯タンク９０の排水を行う排水弁７５、熱源機１０側から暖房用の熱媒Ｈを取り込む本体側熱媒受入部１０２ａ、熱源機１０側へ同熱媒Ｈを吐出する本体側熱媒吐出部１０２ｂなどが設けられている。
更に、当該コージェネレーションシステム４０側に設けられた熱電併給部４１並びに弁やポンプなどの各種補機の運転を制御するコンピュータからなる本体側制御部９５が設けられている。この本体側制御部９５は、通信部９６を介して、熱源機１０側の通信部２６との間で無線又は有線での双方向通信を行ったり、外部に設けた表示部（図示省略）に運転状態などの所定の表示を行ったりするための通信を行うように構成されている。
具体的には、詳細については後述するが、熱源機１０の通信部２６からコージェネレーションシステム４０の通信部９６に対しては、熱源機１０側で設定された設定給湯温度や暖房運転の目標温度に関連する目標温度関連情報が出力され、逆に、コージェネレーションシステム４０の通信部９６から熱源機１０の通信部２６に対しては、熱源機１０による給湯運転を制限するための指令情報が出力される。
尚、上記指令情報の入力を受け付けた熱源機１０では、当該指令情報が給湯運転の実行を禁止するものである場合には、給湯栓３０へ湯水Ｗを供給する給湯時においても、給湯運転を実行することがないように構成されている。
【００４７】
コージェネレーションシステム４０は、燃料電池やエンジン駆動式発電機などのような電力と熱とを発生する熱電併給部４１を備え、発生した電力は適宜インバータ等を介して商用電源と連系する形態で外部の電力負荷等に供給される。また、熱電併給部４１が発生した熱は湯水Ｗの加熱に利用され、かかる加熱された湯水Ｗを貯留する貯湯タンク９０が設けられている。
【００４８】
熱電併給部４１は、内部に設けられた水冷ジャケット（図示省略）を通流する冷却水Ｃにより冷却される構造を有し、その冷却水Ｃが循環する冷却水循環路４２が設けられている。
冷却水循環路４２には、冷却水Ｃの循環方向に沿って、冷却水Ｃを送り出す冷却水ポンプ４６、熱電併給部４１における冷却水ジャケット（図示省略）、当該冷却水ジャケットから吐出された冷却水Ｃの温度（以下「高温側冷却水温度」と呼ぶ場合がある。）を検出する高温側冷却水温度センサ５０、排熱回収熱交換器５５、及び、冷却水Ｃを一時的に貯えるバッファタンク５１が、記載の順で配置されている。
バッファタンク５１には、一時的に貯留される冷却水Ｃの温度（以下「低温側冷却水温度」と呼ぶ場合がある。）を検出する低温側冷却水温度センサ４９が設けられている。また、本体側入水部８０ａに供給された湯水Ｗが、電磁弁５２を介して適宜冷却水Ｃとしてバッファタンク５１に補充される。
【００４９】
排熱回収熱交換器５５は、冷却水循環路４２を通流する冷却水Ｃと加熱貯湯循環路６０を通流する湯水Ｗとの間で熱交換を行うように構成されている。
即ち、熱電併給部４１において熱を発生している状態で、冷却水ポンプ４６を作動させて、冷却水循環路４２に冷却水Ｃを循環させると、熱電併給部４１を通過して加熱された冷却水Ｃが、排熱回収熱交換器５５を通過することで湯水Ｗとの間で熱交換を行い、再び熱電併給部４１に供給されることになる。
【００５０】
貯湯タンク９０は、下部９０ｂに湯水Ｗが供給され上部９０ａから本体側出水部７８ａに湯水Ｗが取り出される密閉式タンクとして構成されている。また、貯湯タンク９０の下部９０ｂから取り出した湯水Ｗを、熱電併給部４１が発生した熱で加熱するべく排熱回収熱交換器５５に通流させて、貯湯タンク９０の上部９０ａに戻す形態で、湯水Ｗを循環させる加熱貯湯循環路６０が設けられている。
この加熱貯湯循環路６０は、貯湯タンク９０の下部９０ｂに対しては、当該下部９０ｂに接続された底部管路７２に対して三方弁７３を介して接続されており、一方、貯湯タンク９０の上部９０ａに対しては、当該上部９０ａに接続された上部管路６６に対して比例弁６５を介して接続されている。
また、上部管路６６には、湯水バイパス路６７が接続されており、また、この湯水バイパス路６７の他方側端部は、逆止弁６９を介して加熱貯湯循環路６０に配置された三方調整弁６８に接続されている。
【００５１】
この加熱貯湯循環路６０には、湯水Ｗの流通方向に沿って、湯水バイパス路６７を通じて流入する湯水Ｗの流量を調整する三方調整弁６８、湯水Ｗを送り出す循環ポンプ６１、排熱回収熱交換器５５、当該排熱回収熱交換器５５を通過した後の湯水Ｗの温度（以下「高温側湯水温度」と呼ぶ場合がある。）を検出する循環水高温センサ６３、同湯水Ｗの流量を検出する循環流量センサ６２、貯湯タンク９０の上部９０ａに流入する湯水Ｗの温度（以下「貯湯温度」と呼ぶ場合がある。）を検出する貯湯温度センサ６４、比例弁６５、及び、貯湯タンク９０が、記載の順で配置されている。
尚、加熱貯湯循環路６０には、当該加熱貯湯循環路６０を循環する湯水のうち、一部を、湯水Ｗを熱媒Ｈと熱交換させる暖房用熱交換器１００の側に導く、暖房用湯水通流路７０が設けられており、当該暖房用湯水通流路７０には、湯水の流量を調整可能な比例弁７１が設けられている。
【００５２】
図１、２に示すように、暖房用熱交換器１００が配置された熱媒流路１０１の一方側端部に設けられた本体側熱媒受入部１０２ａ、及び熱媒流路１０１の他方側端部に設けられる本体側熱媒吐出部１０２ｂの双方は、戻りヘッダ３２に接続されている。
即ち、暖房用循環路３４において、暖房放熱器３３を通過して放熱した熱媒Ｈは、戻りヘッダ３２及び本体側熱媒受入部１０２ａを介して、熱媒流路１０１に配設された暖房用熱交換器１００を通過して湯水から熱を回収する。暖房用熱交換器１００を通過した後の熱媒Ｈは、本体側熱媒吐出部１０２ｂを介して、戻りヘッダ３２に戻り、当該戻りヘッダ３２にて、暖房用循環路３４から戻りヘッダ３２に流入した熱媒Ｈと混合可能な状態となる。戻りヘッダ３２から流出した熱媒Ｈは、熱源機側熱媒受入部１６ａを介して、熱源機１０の熱媒管路１６に配置された暖房熱交換器１２ｂに供給され、更に、当該暖房熱交換器１２ｂを通過した後の熱媒Ｈは、熱源機側熱媒吐出部１６ｂ及び往きヘッダ３１を介して、暖房用循環路３４に配置された暖房放熱器３３に供給されることになる。
【００５３】
また、貯湯タンク９０の上部９０ａに接続された上部管路６６は、三方調整弁７７及び出湯管路７８を介して本体側出水部７８ａに接続されており、その三方調整弁７７の上流側には、貯湯タンク９０の上部９０ａから上部管路６６に取り出された湯水Ｗの温度（以下「タンク取出湯水温度」と呼ぶ場合がある。）を検出する取出水温度センサ７６が設けられている。尚、このタンク取出湯水温度の検出は、取出水温度センサ７６の代わりに、貯湯タンク９０の上下方向に分散配置した複数の温度センサ９１のうち最上部に設けられた温度センサ９１ａで行っても構わない。
また、この三方調整弁７７には、本体側入水部８０ａに通じる給水管路８２が接続されている。更に、出湯管路７８と給水管路８２とは、バイパス管路８６により接続されており、このバイパス管路８６には、湯水Ｗの通流を断続可能な電磁弁８７が配置されている。
即ち、上記三方調整弁７７は、貯湯タンク９０の上部９０ａから本体側出水部７８ａに供給される湯水Ｗに対し、混合比調整を伴って、給水管路８２から供給される湯水Ｗを混合可能な混合部として機能する。
尚、出湯管路７８のバイパス管路８６との接続部の下流側には、湯水Ｗの通流方向に沿って、湯水Ｗの流量を検出する流量センサ７９、本体側出水部７８ａから吐出される湯水Ｗの温度（以下「本体側出水温度」と呼ぶ場合がある。）を検出する出水温度センサ８１が、記載の順に配置されている。
一方、給水管路８２のバイパス管路８６との接続部の上流側には、湯水Ｗの通流方向に沿って、湯水Ｗの圧力を調整する減圧弁８４、本体側入水部８０ａに供給された湯水Ｗの温度（以下「本体側入水温度」と呼ぶ場合がある。）を検出する温度センサ８５、湯水Ｗの逆流を阻止する逆止弁８３が、記載の順に配置されている。
【００５４】
また、給水管路８２は、貯湯タンク９０の下部９０ｂに接続された底部管路７２の三方弁７３に対して逆止弁８９を介して接続されており、この構成により、貯湯タンク９０では、上部９０ａから湯水Ｗが取り出されると同時に、下部９０ｂから湯水Ｗが、給水管路８２、三方弁７３、及び底部管路７２を介して供給されることになる。
これまで説明したように、加熱貯湯循環路６０、湯水バイパス路６７、暖房用湯水通流路７０が、湯水循環路として働く。
【００５５】
また、本体側制御部９５は、詳細については後述するが所定の運転指令制御及び混合制御を実行するように構成されている。
この運転指令制御では、貯湯タンク９０の上部９０ａから上部管路６６に取り出された湯水Ｗの温度、即ち取出水温度センサ７６で検出されるタンク取出湯水温度に基づいて、本体側出水温度が目標出水温度よりも低いものとなるかの判断を行い、その判断結果に基づいて、熱源機１０の給湯運転の可否を決定し、当該決定した給湯運転の可否に従って熱源機１０による給湯運転を制限するための指令情報を、通信部９６を介して熱源機１０に出力する。
一方、混合制御では、通信部９６を介して熱源機１０又はリモコン２７から入力を受け付けた設定給湯温度に基づいて、本体側出水温度の目標値である目標出水温度を決定し、当該決定した目標出水温度に基づいて混合部としての三方調整弁７７を制御する。
尚、上記熱源機１０又はリモコン２７から入力を受け付けた設定給湯温度は、以下では、熱源機１０側から入力を受け付けた設定給湯温度とする。
以上のような構成により、コージェネレーションシステム４０は、以下に示す、給湯運転、貯湯運転、暖房運転を実行することができる。ここで、暖房運転には、熱源機側出熱媒温度の目標温度が高温である高温暖房運転と、当該目標温度が低温である低温暖房運転とがある。
そして、高温暖房運転と低温暖房運転は、排熱回収熱交換器５５から回収した熱のすべてを暖房用熱交換器１００にて放熱する排熱を蓄熱しない暖房運転（図４に示す状態の運転）と、排熱回収熱交換器５５から回収した熱の一部を貯湯タンク９０に蓄熱すると共に、他部を暖房用熱交換器１００にて放熱する運転である排熱の一部を蓄熱する暖房運転（図５に示す状態の運転）とを切り替えて実行されることになる。
更に、本願のコージェネレーションシステム４０にあっては、図６に示すように、貯湯タンク９０に蓄熱された熱のみにより暖房運転（高温及び低温）を行う、蓄熱による暖房運転を実行可能に構成されている。
そこで、以下では、給湯運転及び貯湯運転につき説明した後、排熱を蓄熱しない暖房運転、排熱の一部を蓄熱する暖房運転について説明し、その後、高温暖房運転、低温暖房運転、蓄熱による暖房運転について説明する。
【００５６】
（給湯運転）
図２に示すように、給湯運転は、給湯栓３０が開栓されることで熱源機１０の熱源機側出水部２０ｂから給湯栓３０へ湯水Ｗが供給され、それに伴って本体側出水部７８ａから熱源機側入水部２０ａへ湯水Ｗが供給され、それに伴って出湯管路７８に配置された流量センサ７９で湯水Ｗの通流が検知された状態で実行される。
かかる給湯運転では、貯湯タンク９０の上層の比較的高温の湯水Ｗが、上部９０ａから上部管路６６に取り出されて、三方調整弁７７を介して出湯管路７８に供給される。
更に、この給湯運転では、一旦、目標出水温度を、熱源機１０側から入力を受け付けた設定給湯温度と等しい温度又は同設定給湯温度よりも放熱分を考慮した若干高めの温度に決定した状態で、混合制御が実行されて、三方調整弁７７の開度が制御される。
すなわち、この混合制御では、取出水温度センサ７６で検出されるタンク取出湯水温度が目標出水温度以上である場合には、三方調整弁７７において適当な湯水Ｗが混合されることで、目標出水温度の湯水Ｗが得られ、その湯水Ｗが熱源機１０の熱源機側入水部２０ａに供給されることになる。
また、本体側制御部９５による運転指令制御では、熱源機１０における給湯運転の実行の禁止を決定し、当該給湯運転の実行を禁止するための指令情報を、通信部９６、２６を介して熱源機側制御部２５に出力する。
すると、熱源機１０においては、熱源機側入水温度が設定給湯温度以上であれば、その湯水Ｗを再加熱する必要がないために、給湯運転が行われることなく、この設定給湯温度の湯水Ｗがそのまま給湯栓３０に供給されることになる。また、熱源機側入水温度が設定給湯温度を若干下回っていたとしても、入力された指令情報により無用な給湯運転の実行が禁止されることになる。よって、熱源機１０の熱効率が向上されながら、貯湯タンク９０に貯留されている湯水Ｗが有効利用されてシステム全体のエネルギー効率が向上されることになる。
【００５７】
一方、取出水温度センサ７６で検出されるタンク取出湯水温度が目標出水温度未満である場合には、目標出水温度を設定給湯温度よりも十分に低い温度（例えば３０℃）に設定して、三方調整弁７７を介して供給される湯水Ｗの量を増加させ、本体側出水部７８ａから低く設定された目標出湯温度以下の湯水Ｗを吐出するようにする。
【００５８】
（貯湯運転）
図３に示すように、熱電併給部４１が発生した熱で加熱された湯水Ｗを貯留する所謂貯湯運転は、熱電併給部４１が作動して熱を発生しながら、冷却水ポンプ４６及び循環ポンプ６１が作動することにより、排熱回収熱交換器５５において、比較的高温（例えば７５℃〜８０℃程度）に維持された冷却水Ｃと貯湯タンク９０の下部９０ｂから取り出した比較的低温の湯水Ｗとの熱交換が行われて、当該湯水Ｗが加熱され、一方、当該冷却水Ｃが冷却される形態で実行される。
そして、このように加熱された湯水Ｗが、比例弁６５及び上部管路６６を介して貯湯タンク９０の上部９０ａに流入することになり、結果、貯湯タンク９０には、上部に高温の湯水Ｗが存在し下部に低温の湯水Ｗが存在する状態の温度成層を形成する状態で湯水Ｗが貯留されることになる。
また、貯湯タンク９０において温度成層を形成する形態で湯水Ｗを貯留するので、貯湯タンク９０の上下方向に分散配置した複数の温度センサ９１の検出結果により、貯湯タンク９０の上層に貯留されている高温の湯水Ｗの量、即ち貯湯量を判定することができる。
【００５９】
更に、この貯湯運転では、この排熱回収熱交換器５５で加熱された湯水Ｗの温度、循環水高温センサ６３で検出される高温側湯水温度が、所定の温度（例えば７５℃程度）となるように、三方調整弁６８の開度が制御される。
具体的には、三方調整弁６８の湯水バイパス路６７側の開度を増加させることで、排熱回収熱交換器５５で加熱された湯水Ｗのうち、貯湯タンク９０に供給されるのではなく湯水バイパス路６７を介して排熱回収熱交換器５５の上流側に再循環される湯水Ｗの割合が増加すると、高温側湯水温度が上昇する。そして、この原理を利用して、高温側湯水温度が所定の温度に調整される。
【００６０】
（排熱を蓄熱しない暖房運転）
排熱を蓄熱しない暖房運転は、図４に示すように、熱電併給部４１にて発生した熱を、貯湯タンク９０に蓄熱することなく、暖房用湯水通流路７０に配置された暖房用熱交換器１００にて熱媒に供給するものである。
排熱を蓄熱しない暖房運転は、熱電併給部４１を作動させて熱を発生しながら、本体側制御部９５が、熱源機側制御部２５から暖房運転開始の情報を受け付けて、冷却水ポンプ４６、循環ポンプ６１、熱媒循環ポンプ１０３（熱媒通流状態制御手段の一例）を作動させることにより、排熱回収熱交換器５５にて、比較的高温（例えば７５℃〜８０℃程度）に維持された冷却水Ｃと循環する湯水Ｗとの熱交換が行われると共に、暖房用熱交換器１００にて湯水Ｗと熱媒Ｈとの熱交換が行われ、熱媒Ｈが加熱される形態で実行される。
この排熱を蓄熱しない暖房運転では、暖房用循環路３４にて暖房放熱器３３を通過した後の熱媒Ｈが、先ず、戻りヘッダ３２及び本体側熱媒受入部１０２ａを介して、熱媒流路１０１に配置された暖房用熱交換器１００に供給され、当該暖房用熱交換器１００において湯水Ｗとの熱交換により加熱される。
更に、図１、図４に示すように、当該暖房用熱交換器１００を通過して加熱された熱媒Ｈは、本体側熱媒吐出部１０２ｂを介して、戻りヘッダ３２に導かれ、暖房用循環路３４に配置された暖房放熱器３３を通過した後の熱媒と混合可能状態とされる。戻りヘッダ３２を通過した熱媒Ｈは、熱源機１０の熱媒管路１６に配置された暖房熱交換器１２ｂに供給される。ここで、熱源機１０においては、暖房運転が適宜実行され、熱媒Ｈが設定された目標温度に加熱される。そして、設定された目標温度となった熱媒Ｈが、熱源機側熱媒吐出部１６ｂ及び往きヘッダ３１を介して、暖房用循環路３４に配置された暖房放熱器３３に再度供給されることとなる。
【００６１】
即ち、暖房放熱器３３で放熱される熱の少なくとも一部が、熱電併給部４１が発生した排熱にて補われることとなり、システム全体のエネルギー効率が一層向上される。
【００６２】
（排熱の一部を蓄熱する暖房運転）
排熱の一部を蓄熱する暖房運転は、図５に示すように、熱電併給部４１にて発生した熱の一部を、貯湯タンク９０に蓄熱すると共に、他部を暖房用湯水通流路７０に配置された暖房用熱交換器１００にて熱媒Ｈに供給するものである。
排熱の一部を蓄熱する暖房運転は、熱電併給部４１を作動させて熱を発生しながら、本体側制御部９５が、熱源機側制御部２５から暖房運転開始の情報を受け付けて、冷却水ポンプ４６、循環ポンプ６１、熱媒循環ポンプ１０３を作動させると共に、加熱貯湯循環路６０で貯湯タンク９０の上部９０ａの上流に設けられる比例弁６５の開度を調整することにより、排熱回収熱交換器５５にて、比較的高温（例えば７５℃〜８０℃程度）に維持された冷却水Ｃと循環する湯水Ｗとの熱交換が行われ、当該熱交換により加熱された湯水Ｗの一部を、貯湯タンク９０に貯湯すると共に、他部を、暖房用湯水通流路７０に配置される暖房用熱交換器１００に通流させ、当該暖房用熱交換器１００にて湯水Ｗと熱媒Ｈとの熱交換が行われ、熱媒Ｈが加熱される形態で実行される。
この排熱の一部を蓄熱する暖房運転では、暖房用循環路３４にて暖房放熱器３３を通過した後の熱媒Ｈの循環状態は、上述した排熱を蓄熱しない暖房運転と同様であるので、ここではその詳細な説明を割愛する。
排熱の一部を蓄熱する暖房運転を実行することにより、熱電併給部４１にて発生した熱のうち、暖房に必要な分を、暖房用熱交換器１００から熱媒Ｈに供給すると共に、余った分は、貯湯タンク９０に蓄熱することにより、省エネルギー性を向上できる。
【００６３】
尚、本願にあっては、エネルギー効率の一層の向上を図るべく、上述した熱源機１０での目標温度に関連する目標温度関連情報を、本体側制御部９５にて受信し、当該目標温度関連情報に基づいて、上記排熱を蓄熱しない暖房運転、排熱の一部を蓄熱する暖房運転において、湯水Ｗの循環状態、及び熱媒Ｈの循環状態を制御することにより、後述する熱源機１０側にて設定される熱媒Ｈの目標温度が高温である高温暖房運転、同目標温度が低温である低温暖房運転を実行するように構成されている。
以下、高温暖房運転及び低温暖房運転につき、詳細に説明する。
【００６４】
（高温暖房運転）
高温暖房運転は、浴室暖房乾燥機等の比較的高温を必要とする暖房放熱器３３を働かせる場合に実行される暖房運転である。
当該高温暖房運転は、本体側制御部９５が、通信部９６を介して、熱源機１０から高温暖房運転の実行に係る情報を受信し、それに基づいて、湯水Ｗの循環状態、及び熱媒Ｈの循環状態を制御する。以下、当該高温暖房運転に関する制御の流れを、図４、図５のコージェネションシステムの概略構成図を参照しつつ、図７の制御フローに基づいて説明する。
【００６５】
本体側制御部９５は、通信部９６を介して、熱源機１０側から、暖房運転が高温暖房運転であるという情報を受信する（♯０１）。
本体側制御部９５は、高温暖房運転の実行に係る情報を受信すると、高温暖房運転における熱媒Ｈの目標温度を、予め、記憶部（図示せず）に記憶されている高温側目標温度（７５℃程度）に設定する（♯０２）。
【００６６】
本体側制御部９５は、暖房用熱交換器１００を通過する熱媒Ｈの流量を、最低流量に設定する。一方、本体側制御部９５は、排熱回収熱交換器５５にて排熱を回収した湯水Ｗの全流量を、暖房用熱交換器１００の側へ分配すると共に、貯湯タンク９０の側への分配量をゼロに設定する（♯０３）。
【００６７】
コージェネレーションシステム４０では、熱電併給部４１の運転が維持されている状況において、当該熱電併給部４１の排熱を回収するべく、本体側制御部９５が、冷却水循環路４２に冷却水Ｃを循環させる。
本体側制御部９５は、当該冷却水Ｃの循環流量を一定に維持すべく、冷却水ポンプ４６の回転速度を一定に維持し、冷却水循環路４２に配置される排熱回収熱交換器５５への冷却水Ｃの入り温度を、７５℃〜８０℃に維持する。
一方、本体側制御部９５は、貯湯タンク９０へ貯湯される湯水Ｗの温度を目標貯湯温度（７５〜７７℃）に維持すべく、三方調整弁６８（湯水流量比制御手段の一例）の開度を制御して、貯湯タンク９０の側に導かれる湯水Ｗの流量と、貯湯タンク９０をバイパスする湯水バイパス路６７の側に導かれる湯水Ｗの流量との流量比を制御する（♯０４）。
【００６８】
本体側制御部９５は、熱媒Hが暖房用熱交換器１００にて回収する熱量を暖房負荷に近づけると共に、本体側出熱媒温度を高温側目標温度に近づけるべく、暖房用熱交換器１００において、熱媒Ｈが回収する熱量を、暖房用熱交換器１００を通過する湯水Ｗの流量により制御すると共に、熱媒Ｈの温度を、暖房用熱交換器１００を通過する熱媒Ｈの流量により制御する。以下、当該制御について説明する。
【００６９】
本体側制御部９５は、本体側出熱媒温度が、高温側目標温度未満である場合（♯０５）、現時点で熱媒Ｈが回収する熱量が暖房負荷よりも小さいと判定し、暖房用熱交換器１００と貯湯タンク９０とに導かれる湯水の流量のうち、暖房用熱交換器１００への湯水Ｗの分配量を、暖房用熱交換器１００への湯水の分配量が最大になるまで増加させる（♯０６、０７）。これにより、熱媒Ｈが回収する熱量が増加する。
さらに、暖房用熱交換器１００を通過する熱媒Ｈの流量を、暖房用熱交換器１００を通過する熱媒Ｈの流量が最小になるまで減少させる（♯０８、０９、１０）。これにより、熱媒Ｈの温度が上昇し、目標温度に近づくことになる。
ここで、熱媒Ｈの流量を最小にしたときに、その到達温度が、高温側目標温度に到達していなくても構わない。この場合、熱媒Ｈは、熱源機１０にて高温側目標温度にまで加熱され、暖房放熱器３３へ導かれることとなる。
【００７０】
一方、本体側制御部９５は、本体側出熱媒温度が、高温側目標温度を超える場合（♯０５）、本体側出熱媒温度を目標温度へ下げるべく、暖房用熱交換器１００を通過する熱媒Ｈの流量を、暖房用熱交換器１００を通過する熱媒Ｈの流量が最大になるまで増加させる（♯１１、１２）。これにより、熱媒Ｈの温度が低下し、目標温度に近づくことになる。
さらに、それでも熱媒出温度が目標温度まで下がらなければ、回収熱量が多過ぎると判定し、暖房用熱交換器１００と貯湯タンク９０とに導かれる湯水の流量のうち、暖房用熱交換器１００への湯水Ｗの分配量を、暖房用熱交換器１００への湯水の分配量が最小になるまで減少させる（♯１３、１４）。これにより、熱媒Ｈが回収する熱量が減少する。
【００７１】
（低温暖房運転）
低温暖房運転が実行される場合にも、本体側制御部９５は、通信部９６を介して、熱源機１０側から、暖房運転が低温暖房運転であるという情報を受信する。
当該低温暖房運転には、ホットダッシュ運転、通常低温暖房運転、低温床暖房運転の複数の種類があり、夫々に対応する低温側目標温度は、７２℃、６０℃、４０℃程度となっている。そして、熱源機１０においては、熱源機側制御部２５が、当該低温側目標温度を記憶しており、熱媒Ｈの熱源機側出熱媒温度が、当該記憶された目標温度となるように、そのバーナ１２ａでの加熱状態を制御している。
コージェネレーションシステム４０の本体側では、当該低温目標温度を受信し、当該低温目標温度に基づいて、暖房運転の際の湯水Ｗの循環状態や、熱媒Ｈの循環状態を制御することが好ましい。しかしながら、熱源機側制御部２５が記憶する上記低温目標温度は、設計上の理由により、外部に出力することができない構成となっている。
一方、熱源機１０には、熱媒Ｈの熱源機側出熱媒温度を測定する出熱媒温度センサ１８が設けられているため、当該出熱媒温度センサ１８に測定された熱媒Ｈの温度は、外部に出力することができる。
また、熱源機１０において、暖房熱交換器１２ｂを通過する熱媒を加熱するバーナ１２ａは、熱媒Ｈの温度を目標温度に維持すべく、熱媒Ｈの温度が低温側目標温度よりも所定温度だけ低い場合に燃焼し、熱媒Ｈの温度が低温側目標温度よりも所定温度だけ高い場合に燃焼を停止するように構成されており、熱源機１０は、当該バーナ１２ａにて燃焼が開始される時期である加熱開始時期、及び燃焼が停止される時期である加熱停止時期についても、外部へ出力することができる。
そこで、本願にあっては、本体側制御部９５は、通信部９６を介して、出熱媒温度センサ１８の出力である熱源機側出熱媒温度（熱媒Ｈの吐出温度の一例）と、加熱開始時期、加熱停止時期を受信すると共に、加熱開始時期の熱源機側出熱媒温度と、加熱停止時期の熱源機側出熱媒温度との中間値を、低温側目標温度と推定する。
【００７２】
以下、当該低温側目標温度の推定を含む、低温側暖房運転の制御フローを、図４、５のコージェネレーションシステムの概略構成を参照しつつ、図８の制御フローに基づいて、説明する。
【００７３】
本体側制御部９５は、通信部９６を介して、熱源機１０側から、低温側暖房運転の実行に係る情報を受信する（♯０１）。
本体側制御部９５は、低温暖房運転の実行に係る情報を受信すると、低温側暖房運転の目標温度である低温側暖房目標温度を推定すべく、通信部９６を介して、熱源機１０側から、バーナ１２ａの加熱開始時期の熱源機側出熱媒温度と、加熱停止時期の熱源機側出熱媒温度とを受信する（♯０２）。
【００７４】
本体側制御部９５は、加熱開始時期の熱源機側出熱媒温度と、加熱停止時期の熱源機側出熱媒温度との中間値を、低温側目標温度であると推定する（♯０３）。
【００７５】
以下、本体側制御部９５は、本体側出熱媒温度を低温側目標温度に近づくように制御すると共に、暖房用熱交換器１００にて熱媒Ｈが回収する熱量が暖房負荷に近づくように、暖房用熱交換器１００において、熱媒Ｈが回収する熱量を、暖房用熱交換器１００を通過する湯水Ｗの流量により制御すると共に、熱媒Ｈの温度を、暖房用熱交換器１００を通過する熱媒Ｈの流量により制御する（♯０４〜１５）。当該制御については、高温側目標温度が低温側目標温度に変更される以外は、上述した図７の♯０３〜１４と同様であるので、ここでは、その詳細な説明を割愛する。
【００７６】
（蓄熱による暖房運転）
蓄熱による暖房運転は、図６に示すように、熱電併給部４１が停止している場合に、貯湯タンク９０に蓄熱された熱を、熱媒Ｈへ供給し、暖房運転の熱を補う運転である。
この蓄熱による暖房運転では、湯水Ｗの側に関しては、貯湯タンク９０の成層貯湯を維持すべく、湯水Ｗの暖房用熱交換器１００の出温度を一定以下に抑制しつつ、暖房用熱交換器１００を通過する湯水Ｗの流量を一定以下に維持することを目標とする。
一方、熱媒Ｈの側に関しては、暖房用熱交換器１００の出口の熱媒Ｈの温度を、目標温度に維持することを目標とする。
【００７７】
以下、当該蓄熱による暖房運転の制御の流れを、暖房用熱交換器１００における湯水Ｗと熱媒Ｈの流量を変化させた場合の温度状態の変化を示す図１０を参照しつつ、図９に基づいて説明する。
尚、当該蓄熱による暖房運転では、目標温度に関しては、上記低温暖房運転の場合と同様の制御により推定されることとし、以下の図９に係る制御フローでは、予め目標温度が推定された状態からの制御を示すものとする。
【００７８】
本体側制御部９５は、貯湯タンク９０の上部９０ａの湯水Ｗを、暖房用熱交換器１００を最低流量で通過させるべく、循環ポンプ６１の回転速度、三方調整弁６８の開度、及び比例弁７１の開度等を制御する。
また、本体側制御部９５は、暖房用熱交換器１００を通過する熱媒Ｈの流量を最低流量に調整すべく、熱媒循環ポンプ１０３の回転速度を制御する（♯０１）。
【００７９】
この後、暖房用熱交換器１００での湯水Ｗと熱媒Ｈの温度状態が定常状態に達するまで、一定時間待機する（♯０２）。
【００８０】
この時点では、暖房用熱交換器１００での熱媒Ｈの出温度である本体側出熱媒温度が、目標温度以上の場合であっても、暖房用熱交換器１００を通過する湯水Ｗの流量が少ないため、熱媒Ｈが多くの熱を回収できていない状態（図１０（ｂ）の状態）となっている可能性が高い。
【００８１】
そこで、暖房用熱交換器１００での熱媒Ｈの出温度である本体側出熱媒温度が、目標温度以上の場合（♯０３）で、暖房用熱交換器１００を通過する熱媒Ｈの流量が最大流量に達していない場合（♯０４）、暖房用熱交換器１００を通過する熱媒Ｈの流量を増加（図１０で（ｃ、ｅ、ｇ）の状態）させる（♯０５）。
【００８２】
上記♯０５の処理により、暖房用熱交換器１００での熱媒Ｈの出温度である本体側出熱媒温度が、目標温度未満となった場合で（♯０３）、暖房用熱交換器１００での湯水Ｗの出温度と熱媒Ｈの入り温度との差（以下、ΔＴと略称）が、その最適値α未満であり（♯０６）、暖房用熱交換器１００を通過する湯水Ｗの流量が最大流量に達していないとき（♯０７）には、暖房用熱交換器１００を通過する湯水Ｗの流量を増加（図１０で（ｆ）の状態）させる（♯０８）。
【００８３】
上記♯０６の処理において、ΔＴがその最適値α未満であるという判定は、暖房用熱交換器１００を通過する湯水Ｗの流量が必要以上に大きくなり、それにより暖房用熱交交換器１００から出る湯水の温度が必要以上に高くなっていないことを担保するものであり、これにより、貯湯タンク９０の下部９０ｂに比較的高温の湯水が導かれ、貯湯タンク９０の成層貯湯が崩れることを抑制している。
このため、♯０６の処理において、ΔＴがその最適値α以上である場合には、暖房用熱交換器１００を通過した後の湯水Ｗの流量が必要以上に大きくなり、それにより暖房用熱交交換器１００から出る湯水の温度が必要以上に高くなっている虞があると判定できるから、暖房用熱交換器１００を通過する湯水Ｗの流量を減少させる（♯０９）。これにより、湯水Ｗを必要以上の流量で取り出してしまい、貯湯タンク９０の成層が早期に崩れることを抑制する。
【００８４】
本体側制御部９５は、暖房用熱交換器１００を通過する熱媒Ｈの流量、及び湯水Ｗの流量が、一定以上の流量となるまで、上述の♯０２〜♯０９の処理を繰り返す。
【００８５】
ここで、当該実施形態においては、暖房用熱交換器１００を通過する熱媒Ｈの流量を増加させすぎると、暖房用熱交換器１００を通過する熱媒Ｈの流量が、暖房用循環路３４から戻りヘッダ３２へ戻される熱媒Ｈの全流量よりも多くなり、暖房用熱交換器１００への熱媒Ｈの入り温度が高くなるため、好ましくない。
つまり、暖房用循環路３４から戻りヘッダ３２へ戻される熱媒Ｈの全流量は、熱媒Ｈの最大流量であると規定することが好ましい。
ここで、暖房用循環路３４から戻りヘッダ３２へ戻される熱媒Ｈの全流量は、稼働状態にある暖房放熱器３３の種類や台数により変化するため、暖房用循環路３４から戻りヘッダ３２へ戻される熱媒Ｈの全流量（熱媒Ｈの最大流量）を知ることは難しい。このため、暖房用熱交換器１００を通過する熱媒Ｈの流量が、暖房用循環路３４から戻りヘッダ３２へ戻される熱媒Ｈの全流量（熱媒Ｈの最大流量）よりも多くなっているか、否かを判定することも難しい。
【００８６】
そこで、本実施形態にあっては、暖房負荷が小さい場合、即ち、暖房用循環路３４から戻りヘッダ３２へ戻される熱媒の流量が小さい場合にあっては、上記判定を以下の処理により実行する。
上記♯０４の処理において、暖房用熱交換器１００を通過する熱媒Ｈの流量が、暖房用循環路３４から戻りヘッダ３２へ戻される熱媒Ｈの全流量（熱媒Ｈの最大流量）よりも多くなっているかの判断を、暖房用熱交換器１００を通過する熱媒Ｈの温度が、暖房用熱交換器１００を通過する熱媒Ｈの流量を増加させても変化しなくなるときの流量が、熱媒Ｈの最大流量であると判定する。
つまり、暖房用熱交換器１００を通過する熱媒Ｈの流量を増加させても変化しなくなるときは、暖房用熱交換器１００を通過して加熱された熱媒Ｈのうち、戻りヘッダ３２に戻ったものが、熱源機１０側へ導かれることなく、再び、暖房用熱交換器１００の側へ導かれていると考えられる。従って、この場合には、暖房用熱交換器１００を通過する熱媒Ｈが、暖房用循環路３４から戻りヘッダ３２へ戻される熱媒Ｈの全流量（熱媒Ｈの最大流量）以上となっていると考えられるのである。
【００８７】
以上より、暖房用熱交換器１００での熱媒Ｈの出温度である本体側出熱媒温度が、目標温度以上の場合（♯０３）で、且つ、暖房用熱交換器１００を通過する熱媒Ｈの流量を増加させても変化しなくなる場合（♯０４）、暖房用熱交換器１００の熱媒Ｈの温度を低下させるべく、暖房用熱交換器１００を通過する湯水Ｗの流量を、所定量減少（図１０の（ｉ）の処理）させる（♯１０）。
【００８８】
一方、暖房負荷が大きいときには、暖房用循環路３４から戻りヘッダ３２へ戻される熱媒Ｈの全流量が、暖房用熱交換器１００を通過する熱媒Ｈの流量よりも十分に多くなる。このため、暖房用熱交換器１００を通過する熱媒Ｈの流量が、暖房用循環路３４から戻りヘッダ３２へ戻される熱媒Ｈの全流量を超えることはない。
そこで、暖房負荷が大きい場合には、暖房用熱交換器１００を通過する湯水の流量を、最大流量まで増加させた場合（♯０７）であっても、暖房用熱交換器１００での熱媒Ｈの出温度である本体側出熱媒温度が、目標温度未満となる（♯０３）から、この場合には、暖房用熱交換器１００を通過する熱媒Ｈの流量を減少させる（♯１１）。これにより、暖房用熱交換器１００を通過する熱媒Ｈの温度（本体側出熱媒温度）を昇温させ、目標温度に近づけることができる。
【００８９】
［第２実施形態］
本発明に係るコージェネレーションシステム４０の第２実施形態について、図面に基づいて説明する。
当該第２実施形態では、第１実施形態に対し、熱媒Ｈを通流する流路の配置形態、即ち、熱媒Ｈの循環状態が異なる。以下では、第１実施形態からの変更点につき説明し、第１実施形態と同一の構成については、同一の符号を付し、その説明を割愛する。
【００９０】
上記第１実施形態では、戻りヘッダ３２に戻る熱媒Ｈを、本体側熱媒受入部１０２ａを介して、暖房用熱交換器１００を通過させ、暖房用熱交換器１００を通過させた後に、本体側熱媒吐出部１０２ｂを介して、戻りヘッダ３２に戻す構成を採用した。第１実施形態では、当該構成により、暖房放熱器３３を通過し暖房用循環路３４を通流して、戻りヘッダ３２に戻る熱媒Ｈを取出し、所定流量を、暖房用熱交換器１００へ通過させることができる。
【００９１】
一方、本第２実施形態では、図１１に示すように、戻りヘッダ３２に戻る熱媒Ｈは、本体側熱媒受入部１０２ａを介して、暖房用熱交換器１００を通過させ、暖房用熱交換器１００を通過させた後に、本体側熱媒吐出部１０２ｂを介して、熱源機１０の熱源機側熱媒受入部１６ａに戻す構成を採用している。
第２実施形態では、当該構成により、暖房放熱器３３を通過し暖房用循環路３４を通流して、戻りヘッダ３２に戻る熱媒Ｈの全流量が、暖房用熱交換器１００へ通過することになる。
【００９２】
このような構成を採用する場合、暖房用熱交換器１００を通流する熱媒Ｈの流量は、暖房負荷（暖房放熱器３３の稼働台数、種類）により決定されるため、熱源機１０の目標温度に関連する目標温度関連情報に基づいて、制御することができなくなる。
このため、当該第２実施形態においては、高温暖房運転、低温暖房運転、蓄熱による暖房運転の夫々の制御が、第１実施形態のものとは異なる。そこで、以下では、これらの運転の制御を、図１２〜１４に示すコージェネレーションシステムの概略構成図を参照しながら、図１５〜１７の制御フロー図に基づいて、説明する。
【００９３】
（高温暖房運転）
高温暖房運転は、図１２、１３の概略構成図に示すように、浴室暖房乾燥機等の比較的高温を必要とする暖房放熱器３３を働かせる場合に実行される暖房運転である。
当該高温暖房運転は、本体側制御部９５が、図１５の制御フローに示すように、通信部９６を介して、熱源機１０から高温暖房運転の実行に係る情報を受信し、それに基づいて、湯水Ｗの循環状態、及び熱媒Ｈの循環状態（流量固定）を制御する。
【００９４】
本体側制御部９５は、通信部９６を介して、熱源機１０側から、暖房運転が高温暖房運転であるという情報を受信する（♯０１）。
本体側制御部９５は、高温暖房運転の実行に係る情報を受信すると、高温暖房運転における熱媒Ｈの目標温度を、予め、記憶部（図示せず）に記憶されている高温側目標温度（７５℃程度）に設定する（♯０２）。
【００９５】
コージェネレーションシステム４０では、熱電併給部４１の運転が維持されている状況において、当該熱電併給部４１の排熱を回収するべく、本体側制御部９５が、冷却水循環路４２に冷却水Ｃを循環させる。
本体側制御部９５は、当該冷却水Ｃの循環流量を一定に維持すべく、冷却水ポンプ４６の回転速度を一定に維持し、冷却水循環路４２に配置される排熱回収熱交換器５５への冷却水Ｃの入り温度を、７５℃〜８０℃に維持する。
一方、本体側制御部９５は、貯湯タンク９０へ貯湯される湯水Ｗの温度を目標貯湯温度（７５〜７７℃）に維持すべく、三方調整弁６８の開度を制御して、貯湯タンク９０の側に導かれる湯水Ｗの流量と、貯湯タンク９０をバイパスする湯水バイパス路６７の側に導かれる湯水Ｗの流量との流量比を制御する（♯０３）。
【００９６】
本体側制御部９５は、本体側出熱媒温度が、高温側目標温度未満である場合（♯０４）、現時点で熱媒Ｈが回収する熱量が暖房負荷よりも小さいと判定し、暖房用熱交換器１００と貯湯タンク９０とに導かれる湯水の流量のうち、暖房用熱交換器１００への湯水Ｗの分配量を、暖房用熱交換器１００への湯水の分配量が最大になるまで増加させる（♯０５）。これにより、熱媒Ｈが回収する熱量が増加する。
【００９７】
一方、本体側制御部９５は、本体側出熱媒温度が、高温側目標温度を超える場合（♯０４）、現時点で熱媒Ｈが回収する熱量が暖房負荷よりも大きいと判定し、暖房用熱交換器１００と貯湯タンク９０とに導かれる湯水の流量のうち、暖房用熱交換器１００への湯水Ｗの分配量を、暖房用熱交換器１００への湯水の分配量が最小になるまで減少させる（♯０６）。これにより、熱媒Ｈが回収する熱量が減少する。
【００９８】
（低温暖房運転）
第２実施形態における低温暖房運転においても、図１２、１３の概略構成に示すように、本体側制御部９５は、通信部９６を介して、熱源機１０側から、暖房運転の目標温度に係る目標温度関連情報として、出熱媒温度センサ１８の出力である熱源機側出熱媒温度（熱媒Ｈの吐出温度の一例）と、加熱開始時期、加熱停止時期を受信すると共に、加熱開始時期の熱源機側出熱媒温度と、加熱停止時期の熱源機側出熱媒温度との中間値を、低温側目標温度と推定し、当該低温側目標温度に基づいて、運転状態を制御する。
【００９９】
以下、当該低温側目標温度の推定を含む、低温側暖房運転の制御フローを、図１２、１３のコージェネレーションシステムの概略構成を参照しつつ、図１６の制御フローに基づいて、説明する。
【０１００】
本体側制御部９５は、通信部９６を介して、熱源機１０側から、低温側暖房運転の実行に係る情報を受信する（♯０１）。
本体側制御部９５は、低温暖房運転の実行に係る情報を受信すると、低温側暖房運転の目標温度である低温側暖房目標温度を推定すべく、通信部９６を介して、熱源機１０側から、バーナ１２ａの加熱開始時期の熱源機側出熱媒温度と、加熱停止時期の熱源機側出熱媒温度とを受信する（♯０２）。
【０１０１】
本体側制御部９５は、加熱開始時期の熱源機側出熱媒温度と、加熱停止時期の熱源機側出熱媒温度との中間値を、低温側目標温度であると推定する（♯０３）。
【０１０２】
以下、本体側制御部９５は、暖房用熱交換器１００にて熱媒Ｈが回収する熱量が暖房負荷に近づくように制御する（♯０５〜０７）。当該制御については、高温側目標温度が低温側目標温度に変更される以外は、上述した高温暖房運転の制御（図１５に示す制御）の♯０４〜０６と同様であるので、ここでは、その詳細な説明を割愛する。
【０１０３】
（蓄熱による暖房運転）
蓄熱による暖房運転は、図１４に示すように、熱電併給部４１が停止している場合に、貯湯タンク９０に蓄熱された熱を、熱媒Ｈへ供給し、暖房運転の熱を補う運転である。
尚、当該蓄熱による暖房運転では、目標温度に関しては、上記低温暖房運転の場合と同様の制御により推定されることとし、以下の制御フローは、目標温度が推定された後の制御を示すものとする。
【０１０４】
図１７の制御フローに示すように、本体側制御部９５は、暖房用熱交換器１００を通過する湯水Ｗの流量を最小にすると共に、循環ポンプ６１の回転速度及び比例弁７１の開度等を制御する（♯０１）。
【０１０５】
本体側制御部９５は、暖房用熱交換器１００での熱媒Ｈの出側の温度（本体側出熱媒温度）が、目標温度未満である場合（♯０２）、本体側出熱媒温度を上昇させるべく、暖房用熱交換器１００を通過する湯水の流量を増加させる（♯０３）。
【０１０６】
本体側制御部９５は、暖房用熱交換器１００での熱媒Ｈの出側の温度（本体側出熱媒温度）が、目標温度以上である場合（♯０２）、本体側出熱媒温度を目標温度へ低下させるべく、暖房用熱交換器１００を通過する湯水の流量を減少させる（♯０４）。
【０１０７】
〔別実施形態〕
最後に、本発明のその他の実施形態について説明する。尚、以下に説明する各実施形態の構成は、それぞれ単独で適用されるものに限られず、矛盾が生じない限り、他の実施形態の構成と組み合わせて適用することも可能である。
（１）上記実施形態では、熱源機１０を給湯運転と暖房運転との両方を実行可能なように、暖房機と給湯器とを組み合わせたものとして構成したが、別に当該熱源機１０を暖房専用機として構成しても構わない。
【０１０８】
（２）上記実施形態では、本体側出水温度を目標出水温度に調整するために、混合部として機能する三方調整弁７７を備え、混合制御を行って、貯湯タンク９０の上部９０ａから取り出した湯水Ｗに低温の湯水Ｗを混合比調整を伴って混合するように構成したが、例えば、貯湯タンク９０の上層に目標出水温度の湯水Ｗを貯留するように構成して、かかる混合部等の構成を省略しても構わない。
【０１０９】
（３）上記実施形態では、貯湯タンク９０を、温度成層を形成する形態で加熱された湯水Ｗを貯留するように構成された密閉式タンクとしたが、開放式タンクとしたり、更には、加熱された湯水Ｗのみを貯留するように構成しても構わない。
【０１１０】
（４）上記実施形態では、熱源機１０に並設される熱電併給部４１や貯湯タンク９０やその他各種部位について、一の筐体内に配置して一体型に構成したが、別に、複数の筐体の夫々に分配して複数のユニットからなるものといて構わない。
【０１１１】
（５）上記第１実施形態及び第２実施形態の低温暖房運転時に、低温暖房運転の種類（ホットダッシュ運転、通常低温暖房運転、低温床暖房運転等）が、変更された場合、低温側目標温度も変更されることになる。そして、当該変更が、低温側目標温度の高い運転から、低い運転への変更である場合、熱源機１０では、バーナ１２ａの加熱が停止される。
そして、このとき、本体側制御部９５は、通信部９６を介して、加熱開始時期及び停止時期の情報は受信できなくなり、目標温度の推定ができなくなる。
そこで、上記第１実施形態及び第２実施形態の低温暖房運転においては、以下のように構成することが好ましい。
即ち、本体側制御部９５は、熱源機１０のバーナ１２ａにて熱媒Ｈが加熱されない時間である非加熱時間が、非加熱判定経過時間（例えば、２０分程度）を越えている場合、目標温度が低い側に変更されたと判定するように構成することが好ましい。
本体側制御部９５は、目標温度が低い側に変更されたと判定した場合には、所定の時間だけ、暖房用熱交換器１００を通過する湯水Ｗの流量を、最低流量（流量ゼロを含む）に設定する等の制御を実行する。
【０１１２】
（６）上記第１実施形態、第２実施形態では、本体側制御部９５が、通信部９６を介して、熱源機１０から高温暖房運転と低温暖房運転とを判定可能な情報を取得できる例を示した。
しかしながら、本体側制御部９５は、高温側暖房運転と低温側暖房運転とを判定する情報を受信できない場合であっても、第１実施形態及び第２実施形態の低温暖房運転にて、示した目標温度を推定する制御を実行することにより、エネルギー効率の高いコージェネレーションシステムが実現できる。
【０１１３】
（７）上記実施形態において、本体側制御部９５は、通信部９６を介して、目標温度関連情報として、直接目標温度を受信しても構わない。
【０１１４】
（８）低温暖房運転において、本体側制御部９５は、目標温度を記憶部（図示せず）に記憶しておき、本体側制御部９５が、通信部９６を介して、暖房運転が低温暖房運転であるという情報を受信した場合に、目標温度が記憶部に記憶されている複数の低温側目標温度のうち何れかであると判断するように構成しても構わない。
【産業上の利用可能性】
【０１１５】
本発明は、本体に、暖房放熱器へ循環される熱媒を加熱する熱源機が併設されるコージェネレーションシステム、及びそれを備えた暖房設備において、システム全体としての熱効率を向上させるものとして好適に利用可能である。
【符号の説明】
【０１１６】
１０      ：熱源機
１６ａ    ：熱源機側熱媒受入部
１６ｂ    ：熱源機側熱媒吐出部
３３      ：暖房放熱器
３４      ：暖房用循環路
４０      ：コージェネレーションシステム
４１      ：熱電併給部
５５      ：排熱回収熱交換器
５６      ：排熱暖房熱交換器
６０      ：加熱貯湯循環路
９０      ：貯湯タンク
９５      ：本体側制御部
９６      ：通信部
１００    ：暖房用熱交換器
１０１    ：熱媒流路
１０２ａ  ：本体側熱媒受入部
１０２ｂ  ：本体側熱媒吐出部
Ｈ        ：熱媒
Ｗ        ：湯水
【図１】
2014142116.tif 000003
【図２】
2014142116.tif 000004
【図３】
2014142116.tif 000005
【図４】
2014142116.tif 000006
【図５】
2014142116.tif 000007
【図６】
2014142116.tif 000008
【図７】
2014142116.tif 000009
【図８】
2014142116.tif 000010
【図９】
2014142116.tif 000011
【図１０】
2014142116.tif 000012
【図１１】
2014142116.tif 000013
【図１２】
2014142116.tif 000014
【図１３】
2014142116.tif 000015
【図１４】
2014142116.tif 000016
【図１５】
2014142116.tif 000017
【図１６】
2014142116.tif 000018
【図１７】
2014142116.tif 000019